(57)【特許請求の範囲】
【請求項１】
遊技状態を報知するために主に用いる複数の主図柄を組み合わせて表示する主図柄表示部と、前記主図柄とは別に定められ、前記主図柄と１対１に対応して表示される複数の副図柄を組み合わせて表示する副図柄表示部とに区別されて構成され、当該主図柄及び副図柄を表示する図柄表示部を備え、遊技状態が所定の条件を満たす場合に抽選を行い、当該抽選結果を報知するために前記抽選結果に応じて予め定めた抽選結果報知図柄の組み合わせで前記複数の主図柄を表示し、さらに、前記抽選結果が当たりの場合には、前記抽選結果報知図柄の組み合わせで前記複数の主図柄を表示する以前に、前記図柄表示部の複数の主図柄があと１つ揃えば当たりとなるリーチ図柄の組み合わせで前記複数の主図柄を表示して当たり予告演出をすると共に、前記抽選結果報知図柄の組み合わせで前記複数の主図柄を表示した後に、遊技者に有利な遊技状態とする遊技機であって、
前記図柄表示部は、前記前記抽選結果に基づいて、前記当たり予告演出に続いて前記当たり予告演出よりもさらに当たりの信頼度が高い特別当たり予告演出を実行する特別演出実行手段と、
前記特別演出実行手段による特別当たり予告演出を実行する場合に、前記特別当たり予告演出表示の実行を予告報知するために、同じ図柄で停止表示されることにより前記リーチ図柄の組み合わせとなる主図柄を先に停止表示した主図柄とは図柄を異ならせて前記主図柄表示部に停止表示するとともに当該図柄を異ならせて停止表示させた主図柄に対応する副図柄を先に表示された副図柄の図柄と同じ図柄で揃えて前記副図柄表示部に表示させた後、前記複数の主図柄の組み合わせを確定表示する以前に、前記先に停止表示した主図柄とは図柄を異ならせて前記主図柄表示部に停止表示された主図柄を再変動表示させて、前記複数の主図柄を前記リーチ図柄の組み合わせで表示する表示制御手段と、
を備えた遊技機。
【発明の詳細な説明】
【０００１】
【発明の属する技術分野】
本発明は、遊技状態に応じて複数の図柄を表示する図柄表示手段を備えた遊技機に関する。
【０００２】
【従来の技術及び発明が解決しようとする課題】
従来、遊技機、特にパチンコ機は、その遊技盤面上に設けられた始動入賞口（特別図柄始動入賞口）に入賞したパチンコ球を検出することで、抽選がなされ、この抽選の結果、当たりとなると（当たり状態）、同じく遊技盤面上に設けられた大入賞口が所定時間（例えば、３０秒）、所定回数（例えば、１６回）開放され、パチンコ球の入賞率が高い状態、すなわち遊技者に有利な状態とする機能を有している。
【０００３】
一般に、このようなパチンコ機では、数字やキャラクタでデザインされた、複数の図柄を表示する特別図柄変動表示装置が、遊技盤面上に設けられている。
【０００４】
この特別図柄変動表示装置は、上記の如く始動入賞口にパチンコ球が入賞したとき（始動入賞口へ入賞したパチンコ球をセンサにより検出したとき）に行われる抽選結果に基づく遊技の進行を演出するため、高速での変動表示を開始し（始動）、所定時間経過後に停止して、所定数の図柄を特定（表示）するものであり、予め定められた複数種類の変動パターンによる表示が実行される。
【０００５】
通常、抽選結果が当たりである場合には、特別図柄変動表示装置では、所定数の図柄が予め定められた所定の関係となるように変動表示する。
【０００６】
さらに上述のようなパチンコ機として、例えば、特別図柄変動表示装置での図柄表示において、複数の識別情報を備えた図柄を用い、その図柄が備える主識別情報の少なくとも一部に副識別情報をそれぞれ備え、主識別情報が所定の組み合わせとなったときに特別遊技状態に移行すると共に、副識別情報が所定の組み合わせになったときにも特別遊技状態に移行可能なものが知られている（先行技術１）。
【０００７】
また、上述の先行技術１のパチンコ機において、１つの主識別情報に異なる副識別情報を備え、副識別情報の組み合わせが同じでも主識別情報の組み合わせは異なるものも知られている（先行技術２）。
【０００８】
しかしながら、上述の先行技術１では、主識別情報の一部には必ず所定の副識別情報が備えられていて、主識別情報と副識別情報との関係は常に固定された１対１の関係となっている。そのため主識別情報の組み合わせ次第で副識別情報の組み合わせも一度に判ってしまうことがある。また、上述の先行技術２では、主識別情報と副識別情報の遊技者の告知時期に時間差はなく同時期となっており、主識別情報がある特定の組み合わせにならないと遊技者が判定するのと同時に副識別情報でも特定の組み合わせにならないと判断できてしまうことがある。このことにより、複数の識別情報を備えた図柄による演出表示の効果が画一的になってしまうことがある。従って、上述のようなパチンコ機では、遊技の進行が単調となり遊技者の当たりに対する期待度を低下させてしまうことがある。
【０００９】
本発明は、上記の問題点を解決すべく成されたもので、遊技の趣向性を向上し、遊技者に良好な遊技性を提供できる遊技機を得ることを目的とする。
【００１０】
【課題を解決するための手段】
本発明は、遊技状態を報知するために主に用いる複数の主図柄を組み合わせて表示する主図柄表示部と、前記主図柄とは別に定められ、前記主図柄と１対１に対応して表示される複数の副図柄を組み合わせて表示する副図柄表示部とに区別されて構成され、当該主図柄及び副図柄を表示する図柄表示部を備え、遊技状態が所定の条件を満たす場合に抽選を行い、当該抽選結果を報知するために前記抽選結果に応じて予め定めた抽選結果報知図柄の組み合わせで前記複数の主図柄を表示し、さらに、前記抽選結果が当たりの場合には、前記抽選結果報知図柄の組み合わせで前記複数の主図柄を表示する以前に、前記図柄表示部の複数の主図柄があと１つ揃えば当たりとなるリーチ図柄の組み合わせで前記複数の主図柄を表示して当たり予告演出をすると共に、前記抽選結果報知図柄の組み合わせで前記複数の主図柄を表示した後に、遊技者に有利な遊技状態とする遊技機であって、前記図柄表示部は、前記前記抽選結果に基づいて、前記当たり予告演出に続いて前記当たり予告演出よりもさらに当たりの信頼度が高い特別当たり予告演出を実行する特別演出実行手段と、前記特別演出実行手段による特別当たり予告演出を実行する場合に、前記特別当たり予告演出表示の実行を予告報知するために、同じ図柄で停止表示されることにより前記リーチ図柄の組み合わせとなる主図柄を先に停止表示した主図柄とは図柄を異ならせて前記主図柄表示部に停止表示するとともに当該図柄を異ならせて停止表示させた主図柄に対応する副図柄を先に表示された副図柄の図柄と同じ図柄で揃えて前記副図柄表示部に表示させた後、前記複数の主図柄の組み合わせを確定表示する以前に、前記先に停止表示した主図柄とは図柄を異ならせて前記主図柄表示部に停止表示された主図柄を再変動表示させて、前記複数の主図柄を前記リーチ図柄の組み合わせで表示する表示制御手段と、を備えている。
【００１１】
本発明によれば、特別演出実行手段は、遊技状態が所定の条件を満たす場合（例えば、遊技球が入賞口に入賞した場合）に行う抽選結果に基づいて、前記当たり予告演出に続いて前記当たり予告演出よりもさらに当たりの信頼度が高い特別当たり予告演出を実行する。また、表示制御手段は、特別演出実行手段による特別当たり予告演出を実行する場合に、特別当たり予告演出表示の実行を予告報知するために、所定条件の成立（例えば、特別当たり予告演出表示の実行を予告報知する実行条件値として予め定めた値と、抽選結果が一致した場合）に基づいて、図柄表示部において図柄の組み合わせを確定表示する以前に、少なくとも前記図柄の組み合わせを構成する個々の図柄の少なくとも１つを再変動表示させて、前記リーチ図柄の組み合わせで表示する。これにより、図柄表示部において図柄の組み合わせを確定表示する以前に、少なくとも図柄の組み合わせを構成する個々の図柄の少なくとも１つを再変動表示されて、リーチ図柄の組み合わせで表示された場合に、この時点で遊技者は前記リーチ図柄による当たり予告演出に続いて特別当たり予告演出が実行されることを認識できる。従って、遊技が有利な当たり状態へと発展する予感を遊技者に抱かせることができ、また、当たりへの期待感を高めることができる。
【００１２】
本発明において、前記複数種類の図柄は、遊技状態を報知するために主に用いる主図柄と、当該主図柄とは別に定めた副図柄とに区別されて構成されると共に、前記表示制御手段は、前記特別当たり予告演出表示の実行を予告報知するにあたり、前記主図柄及び副図柄の少なくとも一方を再変動表示することを特徴としている。
【００１３】
図柄表示部で表示される複数種類の図柄は、遊技状態を報知するために主に用いる主図柄と、当該主図柄とは別に定めた副図柄とに区別されて構成されるため、主図柄の組み合わせと副図柄の組み合わせとの２種類の図柄表示が互いに区別されてなされ、例えば、主図柄の組み合わせによって副図柄の組み合わせを遊技者に悟られることを防ぐことができる。また、特別当たり予告演出表示の実行を予告報知するにあたり、前記主図柄及び副図柄の少なくとも一方を再変動表示するため、変化に富んだ演出表示を行うことができる。
【００１４】
複数種類の図柄を表示する図柄表示部を備え、遊技球が入賞口に入賞したことを条件に抽選を行い、当該抽選結果に応じて前記図柄表示部の前記複数種類の図柄を変動表示させた後、前記抽選結果に応じて前記図柄表示部の前記図柄を当たり又ははずれのパターンで停止表示させ、当たりの場合には遊技者に有利な遊技状態とする遊技機であって、前記図柄表示部の複数の図柄があと１つが揃えば当たりとなる所謂リーチ状態に至る前の図柄表示演出において、前記複数の図柄の組み合わせを確定表示する以前に少なくとも前記図柄の組み合わせを構成する個々の図柄の少なくとも１つを再変動表示させて前記図柄表示部の複数の図柄があと１つが揃えば当たりとなる所謂リーチ状態の表示に変えた後、前記複数の図柄又は未だ揃っていない前記あと１つの図柄を変動させるための演出を行う表示制御手段を備えていることを特徴としている。
【００１５】
表示制御手段が図柄表示部の複数の図柄があと１つが揃えば当たりとなる所謂リーチ状態に至る前の図柄表示部演出において、複数の図柄の組み合わせを確定表示する以前に少なくとも前記図柄の組み合わせを構成する個々の図柄の少なくとも１つを再変動表示させて図柄表示部の複数の図柄があと１つが揃えば当たりとなる所謂リーチ状態の表示に変えた後、前記複数の図柄又は未だ揃っていない前記あと１つの図柄を変動させるための演出を行うことにより遊技者に遊技が有利な当たり状態に近づいたという印象を与えることができ、当たりへの期待を抱かせることができる。
【００１６】
前記表示制御手段は前記再変動表示が発生すると前記図柄表示部の複数の図柄を必ずリーチ状態の表示に変えることを特徴としている。
【００１７】
表示制御手段は請求項３に記載の再変動表示が発生すると図柄表示部の複数の図柄を必ずリーチ状態の表示に変えることにより、この変動表示は遊技者にとって判り易く、しかも図柄は遊技機の当たりはずれに直接関係する図柄であるために、遊技者にはかかる変動表示が発生すれば遊技がより当たり状態に近づいたという印象を与えることができ、当たりへの期待を抱かせることができる。
【００１８】
所定の背景パターンの下で複数種類の図柄を表示する図柄表示部を備え、遊技球が入賞口に入賞したことを条件に抽選を行い、当該抽選結果に応じて前記図柄表示部の前記複数種類の図柄を変動表示させた後、前記抽選結果に応じて前記図柄表示部の前記図柄を当たり又ははずれのパターンで停止表示させ、当たりの場合には遊技者に有利な遊技状態とする遊技機であって、前記図柄表示部の複数の図柄があと１つが揃えば当たりとなる所謂リーチ状態に至る前の図柄表示演出において、リーチ状態を決定する図柄が仮停止する直前において一旦はずれのパターンにて仮停止又は仮停止寸前の低速変動となった後、この図柄を高速変動させて他の仮停止図柄と同じパターンに揃える演出を行い前記複数の図柄をリーチ状態とした後、前記図柄表示部の背景パターンを変えて、前記複数の図柄又は未だ揃っていない前記あと１つの図柄を変動させるための演出を行う表示制御手段を備えていることを特徴としている。
【００１９】
表示制御手段が図柄表示部の複数の図柄があと１つが揃えば当たりとなる所謂リーチ状態に至る前の図柄表示演出において、リーチ状態を決定する図柄が仮停止する直前において一旦はずれのパターンにて仮停止又は仮停止寸前の低速変動となった後、この図柄を高速変動させて他の仮停止図柄と同じパターンに揃える演出を行い前記複数の図柄をリーチ状態とした後、図柄表示部の背景パターンを変えて、前記複数の図柄又は未だ揃っていない前記あと１つの図柄を変動させるための演出を行うことにより、遊技者に遊技が有利な当たり状態に近づいたという印象を与えることができ、当たりへの期待を抱かせることができる。
【００２０】
前記表示制御手段は前記リーチ状態を決定する図柄に対して前記演出を行った場合は前記図柄表示部の複数の図柄を必ずリーチ状態の表示に変えることを特徴としている。
【００２１】
表示制御手段はリーチ状態を決定する図柄に対して上記演出を行った場合は図柄表示部の複数の図柄を必ずリーチ状態の表示に変えることにより、この変動表示は遊技者にとって判り易く、しかも図柄は遊技機の当たりはずれに直接関係する図柄であるために、遊技者にはかかる変動表示が発生すれば遊技がより当たり状態に近づいたという印象を与えることができ、当たりへの期待を抱かせることができる。
【００２２】
【発明の実施の形態】
以下、図面を参照して本発明の実施の形態を詳細に説明する。
【００２３】
図１には、本発明の実施の形態に係るパチンコ機１１０の遊技盤１１１が示されている。この遊技盤１１１における円弧状のレール１１２で囲まれた領域が遊技領域であるゲージ部１１４とされている。ゲージ部１１４には、全面に渡って複数の釘が打ち込まれ、レール１１２を通って打ち出されたパチンコ球がこの釘１１６に当たって跳ねたり、釘１１６によって形成される案内路に案内されながら、落下していくようになっている。また、この釘１１６のほか、ゲージ部１１４に向かって左右対称の位置には、風車１１８が取り付けられており、パチンコ球を予期しない方向へ方向転換させるようになっている。
【００２４】
さらに、ゲージ部１１４には複数の位置に入賞口１２０が設けられ、この入賞口１２０にパチンコ球が入ることにより、所定数のパチンコ球が遊技者に払い出されるようになっている。
【００２５】
このようなゲージ部１１４は、ほぼ左右対称系とされており、この中央部には特別図柄変動装置１２２が配置され、所定の画像データを表示する表示部１２４が露出されている。この表示部１２４の下方には特別図柄変動装置１２２を始動するための第１の始動口としての特別図柄始動入賞口１２６が設けられている。
【００２６】
特別図柄始動入賞口１２６のさらに下方には、大入賞口１２８が配置され、前記特別図柄変動装置１２２での所謂当たりの表示状態で所定時間開放され、大量のパチンコ球を入賞させることができる構成となっている。
【００２７】
なお、特別図柄始動入賞口１２６に入賞したパチンコ球は、最大４球分保留され、特別図柄変動装置１２２による抽選結果の案内が終了した時点で、保留された分が消化されるようになっている。この保留球の数は、ゲージ部１１４の一部に設けられた４個の特別図柄保留ランプ（図示省略）の点灯／消灯状態によって報知している（点灯が保留）。
【００２８】
また、ゲージ部１１４には、第２の始動口としての普通図柄始動領域１３０と、０〜９までの一桁の数字を表示可能な普通図柄表示部１３２とが設けられており、普通図柄始動領域１３０にパチンコ球が入賞すると、普通図柄表示部１３２の表示が変動し、所定の当たり数字になると、前記特別図柄始動入賞口１２６に設けられた可動部としての電動チューリップ１３４が所定時間開放するようになっている。この電動チューリップ１３４の開放により、特別図柄始動入賞口１２６への入賞の確率が物理的に高まることになる。
【００２９】
上記ゲージ部１１４の下部にはパネル１４０が設けられており、このパネル１４０の前面側にはパチンコ球を発射するためのハンドル１３６と、パチンコ球を受ける受け皿１３８とが設けられている。ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記ハンドル１３６の回転角度に基づいて発射強度が設定されるようになっている。なお、この回転には、付勢力が付与されており、遊技者が手を離すと自動的にもとの回転位置に戻る構造となっている。
【００３０】
図２には、パチンコ機１１０を制御するための制御系の概略が示されている。制御系は、主制御基板１５０を中心として、払出制御基板１５２、音声制御基板１５４、ランプ制御基板１５６、発射制御基板１５８、表示制御基板１６０等、機能毎に分類され（なお、以下これらを総称する場合副制御基板１５１という。）、相互に接続されている。
【００３１】
主制御基板１５０は、パチンコ機１１０を制御するための各種データや制御プログラムを記憶保持するメモリ１４４、時間計測のためのタイマ１４６、及び遊技者に有利な遊技状態とするための大当たり抽選等の各種抽選処理（詳細は後述）に用いるカウンタ１４２を含んで構成されている。
【００３２】
また、副制御基板１５１は、メモリ１４４に記憶された遊技に関する基本的な制御プログラムによって主制御基板１５０から出力される命令信号に基づいて、独自に各制御処理を実行するように構成されている。
【００３３】
払出制御基板１５２は、パチンコ球の払出し数を制御するものであり、音声制御基板１５４は、パチンコ機１１０に設けられたスピーカ１６２からの効果音等の出力を制御する。また、ランプ制御基板１５６は、パチンコ機１１０に取り付けられた電飾部材（遊技盤状態表示灯）１６４、及び図示しない特別図柄保留ランプ及び普通図柄保留ランプ等の点灯・消灯を制御し、発射制御基板１５８は、遊技者によるパチンコ球の発射を制御する。
【００３４】
表示制御基板１６０は、主制御基板１５０からの命令信号に基づいて所定の演出効果をもたらす図柄表示動作（詳細は後述）を行うためのものであり、表示ドライバ１６６を介して、図柄を表示する表示部１２４が接続されている。この表示部１２４は、図１に示す表示部１２４の表示画面上段部分において、複数の図柄（主図柄）を組み合わせて表示する主図柄表示部１２４Ａと、図１に示す表示部１２４の表示画面下段部分において、主図柄とは別の複数の図柄（副図柄）を組み合わせて表示する副図柄表示部１２４Ｂとから構成されている。なお、表示部１２４の表示画面全体における副図柄表示部１２４Ｂの表示面積は、主図柄表示部１２４Ａの表示面積よりも小さく構成されており、このことによって、通常、副図柄よりも表示される頻度が高く、遊技者が注目すべき主図柄についての視認性を高めている。
【００３５】
主図柄表示部１２４Ａでは、上記の主図柄の組み合わせとして、３つの図柄（第１主図柄、第２主図柄、及び第３主図柄）を横一列に並べて表示するようになっており、第１主図柄、第２主図柄、及び第３主図柄としてそれぞれ、図３（Ａ）に示す全１２種類の図柄（数字の０〜９、ゴリラの顔、及びナス）を表示可能とされている。
【００３６】
また、副図柄表示部１２４Ｂでは、上記の副図柄の組み合わせとして、３つの図柄（第１副図柄、第２副図柄、及び第３副図柄）を横一列に並べて表示するようになっており、第１副図柄、第２副図柄、及び第３副図柄としてそれぞれ、図３（Ｂ）に示す全３種類の図柄（リンゴ、バナナ、及びゴリラ人形）を表示可能であると共に、何の表示もない無図柄（図３（Ｂ）において、四角形で示した。）を表示可能とされている。
【００３７】
なお、主図柄表示部１２４Ａでは、第１主図柄〜第３主図柄の全てを所定の速度で同時に変動表示したのち、各主図柄毎に所定の時間差を設けて、第１主図柄、第２主図柄、第３主図柄の順で、徐々に変動速度を低下させて最終的に停止表示するようになっている。また、副図柄表示部１２４Ｂでは、各主図柄の表示状態に応じたタイミング（例えば、主図柄が停止表示される直前又は直後のタイミング）で各副図柄を表示するようになっており、このときの図柄表示では、第１主図柄と第１副図柄、第２主図柄と第２副図柄、及び第３主図柄と第３副図柄が各々対応付けされている。
【００３８】
また、上記の各種抽選処理の結果が当たりである場合には、主図柄表示部１２４Ａ及び副図柄表示部１２４Ｂではそれぞれ、同一の図柄を３つ並べて表示することによって、遊技者に抽選結果が当たりであることを報知するようになっている。この場合、当たり図柄の組み合わせは、主図柄では図４（Ａ）に示す１２種類であり、副図柄では図４（Ｂ）に示す３種類である。
【００３９】
なお、表示部１２４では、上記抽選処理（大当たり抽選）の結果が当たりであることを、通常の当たり信頼度をもって予告報知するノーマルリーチ演出表示（主図柄表示部１２４Ａにおいて、第１主図柄と第２主図柄とを同一図柄で停止表示し、かつ第３主図柄を変動表示する。）を実行可能とされている。さらに表示部１２４では、ノーマルリーチよりも高い当たり信頼度をもって当たり予告報知をするスーパーリーチ演出表示（例えば、主図柄及び副図柄の背景色を通常時とは異なる色で表示したり、主図柄及び副図柄とは別に、各図柄の変動表示と関連して動作する所定のキャラクターを表示する。）を実行可能とされている。また、上記スーパーリーチ演出表示の実行を予告報知するスーパーリーチ予告演出表示（主図柄表示部１２４Ａにおいて、第１主図柄と第２主図柄とを互いに異なる図柄で一旦停止表示した後、第２図柄を再変動させて第１主図柄と同一図柄で停止表示してノーマルリーチとして表示する。）を実行可能とされている。
【００４０】
なお、表示制御基板１６０は、上記普通図柄表示部１３２も制御するようになっている。
【００４１】
また、主制御基板１５０には、特別図柄始動入賞口１２６に設けられた特別図柄入賞センサ１６８及び普通図柄始動領域１３０に設けられた普通図柄入賞センサ１７０、並びに各入賞口１２０に設けられた入賞センサ１７２が接続されている。これにより、主制御基板１５０は、各入賞センサ（特別図柄入賞センサ１６８、普通図柄入賞センサ１７０、及び入賞センサ１７２）からの検出信号によって遊技球の入賞を検出することができる。
【００４２】
また、主制御基板１５０には、電動チューリップ１３４を開閉させるためのソレノイド１７４、並びに大入賞口１２８を開閉させるための大入賞口開閉用ソレノイド１７６が接続されている。
【００４３】
なお、主制御基板１５０及び副制御基板１５１は、信号線２０２により管理制御基板２００に接続されている。この管理制御基板２００は、信号線２０８を介して、管理制御基板２００で処理した様々なデータをホールコンピュータ２０６へ出力する。これにより、店側で各パチンコ機１１０の状況を把握することができる。
【００４４】
また、主制御基板１５０に含まれる上記カウンタ１４２は、図５（Ａ）に示すように、大当たり抽選（詳細は後述）に用いる大当たりカウンタ１４２Ａ、及びイベント発生抽選（詳細は後述）に用いるイベント発生カウンタ１４２Ｂに加え、主図柄表示部１２４Ａで表示する各主図柄（第１主図柄〜第３主図柄）の選択抽選（詳細は後述）に用いる第１主図柄カウンタ１４２Ｃ、第２主図柄カウンタ１４２Ｄ、及び第３主図柄カウンタ１４２Ｅと、副図柄表示部１２４Ｂで表示する各副図柄（第１副図柄〜第３副図柄）の選択抽選（詳細は後述）に用いる第１副図柄カウンタ１４２Ｆ、第２副図柄カウンタ１４２Ｇ、及び第３副図柄カウンタ１４２Ｈと含んで構成されている。
【００４５】
なお、各カウンタはそれぞれ所定範囲の数値を所定の周期で順にインクリメントするものであって、最大カウント値となると最小カウント値に戻る、所謂ループカウンタとして構成されている。詳細は後述するが、これら各カウンタによる抽選では、上述の特別図柄入賞センサ１６８による入賞検出がなされたタイミングにおけるカウント値を選択するようになっている。
【００４６】
また、主制御基板１５０に含まれる上記のメモリ１４４は、図５（Ｂ）に示すように、大当たりカウンタ１４２Ａで選択されたカウンタ値を記憶保持する大当たりカウンタ値メモリ１４４Ａ（以下、このメモリに保持されたカウンタ値を記憶値Ｘという。）、及びイベント発生カウンタ１４２Ｂで選択されたカウンタ値を記憶保持するイベント発生カウンタ値メモリ１４４Ｂ（以下、このメモリに保持されたカウンタ値を記憶値Ｐという。）を含んで構成されている。
【００４７】
さらに、このメモリ１４４は、第１主図柄カウンタ１４２Ｃ、第２主図柄カウンタ１４２Ｄ、及び第３主図柄カウンタ１４２Ｅ各々で選択された各カウンタ値をそれぞれ記憶保持する第１主図柄カウンタ値メモリ１４４Ｃ（以下、このメモリに保持されたカウンタ値を記憶値Ｙ１という。）、第２主図柄カウンタ値メモリ１４４Ｄ（以下、このメモリに保持されたカウンタ値を記憶値Ｙ２という。）、及び第３主図柄カウンタ値メモリ１４４Ｅ（以下、このメモリに保持されたカウンタ値を記憶値Ｙ３という。）と、第１副図柄カウンタ１４２Ｆ、第２副図柄カウンタ１４２Ｇ、及び第３副図柄カウンタ１４２Ｈ各々で選択された各カウンタ値をそれぞれ記憶保持する第１副図柄カウンタ値メモリ１４４Ｆ（以下、このメモリに保持されたカウンタ値を記憶値Ｚ１という。）、第２副図柄カウンタ値メモリ１４４Ｇ（以下、このメモリに保持されたカウンタ値を記憶値Ｚ２という。）、及び第３副図柄カウンタ値メモリ１４４Ｈ（以下、このメモリに保持されたカウンタ値を記憶値Ｚ３という。）とを含んで構成されている。
【００４８】
さらに、このメモリ１４４は、予め大当たり値として定めたカウンタ値を記憶保持する大当たり値メモリ１４４Ｉ（以下、このメモリに保持されたカウンタ値を記憶値ＸＸという。）、及び予めイベント発生値として定めたカウンタ値を記憶保持するイベント発生値メモリ１４４Ｊ（以下、このメモリに保持されたカウンタ値を記憶値ＰＰという。）を含んで構成されている。
【００４９】
また、このメモリ１４４は、第２主図柄カウンタ値メモリ１４４Ｄの記憶値Ｙ２の値を一時的に保持するカウンタ値第１保持メモリ１４４Ｋ（以下、このメモリに保持された値を記憶値Ｓ２という。）と、第３主図柄カウンタ値メモリ１４４Ｅの記憶値Ｙ３の値を一時的に保持するカウンタ値第２保持メモリ１４４Ｌ（以下、このメモリに保持された値を記憶値Ｓ３という。）と、通常の図柄表示時及び上記イベント発生時それぞれにおいて主図柄表示部１２４Ａで停止表示する各主図柄に予め対応付けされた数値（図３（Ａ）参照）を記憶保持する停止主図柄メモリ１４４Ｍと、通常の図柄表示時において副図柄表示部１２４Ｂで停止表示する各副図柄に予め対応付けられた数値（図３（Ｂ）参照）を記憶保持する停止副図柄メモリ１４４Ｎとを含んで構成されている。詳細は後述するが、主制御基板１５０は、この停止主図柄メモリ１４４Ｍ及び停止副図柄メモリ１４４Ｎに記憶保持された数値に対応付けられた主図柄及び副図柄を、それぞれ主図柄表示部１２４Ａ及び副図柄表示部１２４Ｂで表示する。
【００５０】
なお、このメモリ１４４は、上記以外の他の各種データを記憶保持する図示しないメモリを含んで構成されている。
【００５１】
大当たりカウンタ１４２Ａは、図６（Ａ）に示すように、０〜３２３のカウント値を所定周期で順にカウントアップするように構成されており、上述のように、特別図柄入賞センサ１６８による入賞検出がなされたタイミングで選択されたカウンタ値を、大当たりカウンタ値メモリ１４４Ａの記憶値Ｘとして記憶保持するようになっている。なお、本実施の形態では、大当たり値として大当たり値メモリ１４４Ｉの記憶値ＸＸとして数値７を予め記憶保持する。すなわち、この大当たりカウンタ１４２Ａによる抽選の大当たり確率は１／３２４となる。
【００５２】
同様に、イベント発生カウンタ１４２Ｂは、図６（Ｂ）に示すように、０〜３０のカウント値を所定周期で順にカウントアップするように構成されており、上述のように、特別図柄入賞センサ１６８による入賞検出がなされたタイミングで選択されたカウンタ値を、イベント発生カウンタ値メモリ１４４Ｂの記憶値Ｐとして記憶保持するようになっている。なお、本実施の形態では、イベント発生値としてイベント発生値メモリ１４４Ｊの記憶値ＰＰとして、数値１、２、及び３を予め記憶保持する。すなわち、このイベント発生カウンタ１４２Ｂによる抽選のイベント発生確率は３／３１となる。なお、ここでいうイベントとは、詳細は後述するが簡単に説明すると、副図柄表示部１２４Ｂで表示された副図柄が同一図柄で揃うことを条件として、主図柄表示部１２４Ａにおいて全主図柄を再変動させたのち同時に停止表示する演出動作を指している。
【００５３】
また、本実施の形態では、上記のノーマルリーチ演出表示、及びスーパーリーチ演出表示の各演出表示を実行する条件値としてそれぞれ予め複数個づつ定めた各演出表示実行値を、メモリ１４４に予め記憶保持するようになっている。なお、上記スーパーリーチ演出表示の各演出表示実行値のうち、何れかの１又は複数個の値をスーパーリーチ予告演出表示の演出表示実行値として予め定めておく。本実施の形態においては、詳細は後述するが、イベント発生カウンタ１４２Ｂにより抽選されたカウンタ値が、メモリ１４４に記憶保持された上記の各演出表示実行値の何れかと一致する場合に、一致した演出表示実行値に対応する演出表示（ノーマルリーチ演出表示、スーパーリーチ演出表示、及びスーパーリーチ予告演出表示）を実行するようになっている。
【００５４】
また、第１主図柄カウンタ１４２Ｃ、第２主図柄カウンタ１４２Ｄ、及び第３主図柄カウンタ１４２Ｅ各々は、図７（Ａ）に示すように、全１２種類の主図柄それぞれに予め対応付けされた数値０〜１１（図３（Ａ）参照）をカウント値として所定周期で順にカウントアップするように構成されており、上述のように、特別図柄入賞センサ１６８による入賞検出がなされたタイミングで選択されたカウンタ値を、それぞれ、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３として記憶保持するようになっている。
【００５５】
同様に、第１副図柄カウンタ１４２Ｆ、第２副図柄カウンタ１４２Ｇ、及び第３副図柄カウンタ１４２Ｈ各々は、図７（Ｂ）に示すように、無図柄を含めて全４種類の副図柄それぞれに予め対応付けされた数値０〜３（図３（Ｂ）参照）をカウント値として所定周期で順にカウントアップするように構成されており、上述のように、特別図柄入賞センサ１６８による入賞検出がなされたタイミングで選択されたカウンタ値を、それぞれ、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３として記憶保持するようになっている。
【００５６】
次に本実施の形態の作用について詳細に説明する。
【００５７】
本発明の実施の形態に係るパチンコ機１１０は、電源が投入されて稼動状態となると、主制御基板１５０はパチンコ機１１０各部の稼動制御と共に、遊技の進行制御を開始する。
【００５８】
この稼動状態において、遊技者がハンドル１３６を操作することによりパチンコ球が発射されると、レール１１２に案内されてゲージ部１１４の釘１１６や風車１１８等に当接しながら、予測し得ない移動をしながら落下していく。ここで、入賞口１２０に入賞すると、予め定められた数のパチンコ球が払い出される（賞球）。また、普通図柄始動入賞口１３０に入賞するとこれを普通図柄入賞センサ１７０で検出する。
【００５９】
この検出により、主制御基板１５０では、普通図柄の抽選が開始される。すなわち、カウンタ１４２を用いて、所定の確率で０〜９までの数字を抽選する。抽選の結果、はずれの場合には、特に遊技状態に変化はない。一方、抽選の結果、当たり（例えば、当たり数字の１が抽選される）の場合には、主制御基板１５０は、特別図柄始動入賞口１２６に設けられた電動チューリップ１３４を開放状態とするべく、ソレノイド１７４へ通電する。これにより、特別始動入賞口１２６にパチンコ球が入り易い、高確率状態とすることができる。
【００６０】
また、特別図柄始動入賞口１２６にパチンコ球が入賞すると、特別図柄入賞センサ１６８によって入賞検出され、主制御基板１５０は図８に示す処理ルーチンを実行する。
【００６１】
まず、ステップ３００では、特別図柄入賞センサ１６８からの入賞検出信号を検出することで入賞検出されたか否かを判断し、否定判断の場合には本ステップ３００を繰り返し、肯定判断の場合にはステップ３０２へ進む。
【００６２】
次のステップ３０２では、大当たり抽選を行う。この大当たり抽選では、特別図柄入賞センサ１６８による入賞検出がなされたタイミングで大当たりカウンタ１４２Ａのカウンタ値を選択し、大当たりカウンタ値メモリ１４４Ａの記憶値Ｘとして記憶保持する。
【００６３】
次のステップ３０４では、イベント発生抽選を行う。このイベント発生抽選では、特別図柄入賞センサ１６８による入賞検出がなされたタイミングでイベント発生カウンタ１４２Ｂのカウンタ値を選択し、イベント発生カウンタ値メモリ１４４Ｂの記憶値Ｐとして記憶保持する。すなわち、上述したように、ここで記憶保持された記憶値Ｐに応じて、上記イベントに加え、上述したノーマルリーチ演出表示、スーパーリーチ演出表示、或いはスーパーリーチ予告演出表示の実行／非実行が決定されることになる。
【００６４】
次のステップ３０６では、副図柄表示部１２４Ｂで停止表示する副図柄の選択抽選を行う停止副図柄抽選処理を実行する。この停止副図柄抽選処理では、図９（Ａ）に示す処理ルーチンが実行される。
【００６５】
まず、ステップ３０６Ａでは、特別図柄入賞センサ１６８による入賞検出がなされたタイミングで、第１副図柄カウンタ１４２Ｆ、第２副図柄カウンタ１４２Ｇ、及び第３副図柄カウンタ１４２Ｈ各々のカウンタ値を選択し、それぞれ第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３として記憶保持する。
【００６６】
ここで、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３が全て同値である場合（Ｚ１＝Ｚ２＝Ｚ３）には、次のステップ３０６Ｂで肯定判断され、上記ステップ３０６Ａへ戻って上記処理を繰り返す。すなわち、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３が全て同値である場合（Ｚ１＝Ｚ２＝Ｚ３）には、再度、副図柄表示部１２４Ｂで停止表示する副図柄の選択抽選を行う。
【００６７】
一方、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３が全て同値でない場合には、ステップ３０６Ｂで否定判断され、本処理ルーチンを終了する。
【００６８】
上記ステップ３０６で上述の停止副図柄抽選処理を実行した後、次のステップ３０８へ進む。
【００６９】
次のステップ３０８では、主図柄表示部１２４Ａで停止表示する主図柄の選択抽選を行う停止主図柄抽選処理を実行する。この停止主図柄抽選処理では、図９（Ｂ）に示す処理ルーチンが実行される。
【００７０】
まず、ステップ３０８Ａでは、特別図柄入賞センサ１６８による入賞検出がなされたタイミングで、第１主図柄カウンタ１４２Ｃ、第２主図柄カウンタ１４２Ｄ、及び第３主図柄カウンタ１４２Ｅ各々のカウンタ値を選択し、それぞれ第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３として記憶保持する。
【００７１】
ここで、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３が全て同値である場合（Ｙ１＝Ｙ２＝Ｙ３）には、次のステップ３０８Ｂで肯定判断され、上記ステップ３０８Ａへ戻って上記処理を繰り返す。すなわち、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３が全て同値である場合（Ｙ１＝Ｙ２＝Ｙ３）には、再度、主図柄表示部１２４Ａで停止表示する主図柄の選択抽選を行う。
【００７２】
一方、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３が全て同値でない場合には、ステップ３０８Ｂで否定判断され、本処理ルーチンを終了する。
【００７３】
上記ステップ３０８で上述の停止主図柄抽選処理を実行した後、次のステップ３１４へ進む。
【００７４】
次のステップ３１４では、第２主図柄カウンタ値メモリ１４４Ｄの記憶値Ｙ２の値をカウンタ値第１保持メモリ１４４Ｋの記憶値Ｓ２としてコピーし、第３主図柄カウンタ値メモリ１４４Ｅの記憶値Ｙ３の値をカウンタ値第２保持メモリ１４４Ｌの記憶値Ｓ３としてコピーする。
【００７５】
次のステップ３１６では、上記ステップ３０２における大当たり抽選の結果が当たりであるか否かを判断する。ここでは、大当たりカウンタ値メモリ１４４Ａの記憶値Ｘが、予め定めた大当たり値を記憶保持する大当たり値メモリの記憶値ＸＸの値（ここでは、７）と一致するか否かを判断する。
【００７６】
大当たりカウンタ値メモリ１４４Ａの記憶値Ｘが大当たり値メモリの記憶値ＸＸの値と一致する場合は当たりであるので、ステップ３１６で肯定判断され、ステップ３１８へ進み、当たり状態を報知する図柄表示を行う当たり図柄設定処理（詳細は後述）を実行して、次のステップ３２２へ進む。
【００７７】
一方、大当たりカウンタ値メモリ１４４Ａの記憶値Ｘが大当たり値メモリの記憶値ＸＸの値と一致しない場合ははずれであるので、ステップ３１６で否定判断され、ステップ３２０へ進み、はずれ状態を報知する図柄表示を行うはずれ図柄設定処理（詳細は後述）を実行して、次のステップ３２２へ進む。
【００７８】
次のステップ３２２では、主図柄表示部１２４Ａにおいて、第１主図柄、第２主図柄、及び第３主図柄の全てが同一図柄で揃ったか否か、すなわち当たり状態を示す図柄表示であるか否かを判断する。
【００７９】
ステップ３２２で肯定判断の場合には、第１主図柄、第２主図柄、及び第３主図柄の全てが同一図柄で揃った当たり状態であるので、ステップ３２４へ進み、大当たり処理を実行して、本処理ルーチンを終了する。なお、この大当たり処理では、遊技者に当たり状態であることをスピーカ１６２や遊技盤状態表示灯１６４等によって報知すると共に、遊技者に有利な状態である、パチンコ球の入賞確率の高い状態とするべく、主制御基板１５０が大入賞口開閉用ソレノイド１７６により、大入賞口１２８を所定時間（例えば、３０秒）、所定回数（例えば、１６回）開放する。
【００８０】
一方、ステップ３２２で否定判断の場合には、第１主図柄、第２主図柄、及び第３主図柄の全てが同一図柄で揃っていないはずれ状態であるので、ステップ３２６へ進み、はずれ処理を実行して、本処理ルーチンを終了する。なお、このはずれ処理では、特に遊技状態の変更は行われない。
【００８１】
次に、上記の当たり図柄設定処理について、図１０に示す処理ルーチンを参照しながら説明する。
【００８２】
まず、ステップ４００では、第１主図柄カウンタ値メモリ１４４Ｃの記憶値Ｙ１の値を、第２主図柄カウンタ値メモリ１４４Ｄの記憶値Ｙ２及び第３主図柄カウンタ値メモリ１４４Ｅの記憶値Ｙ３としてコピーし、各記憶値Ｙ１〜Ｙ３の値を同値とする。
【００８３】
次のステップ４０２では、主図柄表示部１２４Ａにおいて、第１段階（通常の図柄変動表示時）で停止表示する各主図柄（第１主図柄、第２主図柄、及び第３主図柄）に対応するカウンタ値（以下、第１段階停止主図柄カウンタ値という。）として、それぞれ、第１主図柄カウンタ値メモリ１４４Ｃの記憶値Ｙ１、カウンタ値第１保持メモリ１４４Ｋの記憶値Ｓ２、及びカウンタ値第２保持メモリ１４４Ｌの記憶値Ｓ３の値を、停止主図柄メモリ１４４Ｍにセットする。なお、ここでは、上述の図８に示す処理ルーチンのステップ３０８の処理により、第１主図柄カウンタ値メモリ１４４Ｃの記憶値Ｙ１、カウンタ値第１保持メモリ１４４Ｋの記憶値Ｓ２、及びカウンタ値第２保持メモリ１４４Ｌの記憶値Ｓ３の値は、全ての値が同値ではない。
【００８４】
次のステップ４０４では、主図柄表示部１２４Ａにおいて、第２段階（上記のイベント発生時）で停止表示する各主図柄（第１主図柄、第２主図柄、及び第３主図柄）に対応するカウンタ値（以下、第２段階停止主図柄カウンタ値という。）として、それぞれ、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３の値を、停止主図柄メモリ１４４Ｍにセットする。なお、ここでは、上記ステップ４００の処理により、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３の値は全て同値（Ｙ１＝Ｙ２＝Ｙ３）となっている。
【００８５】
次のステップ４０６では、上述の図８に示す処理ルーチンのステップ３０４におけるイベント発生抽選の結果が、イベント発生条件を満たすか否かを判断する。ここでは、イベント発生カウンタ値メモリ１４４Ｂの記憶値Ｐが、予め定めたイベント発生値を記憶保持するイベント発生値メモリの記憶値ＰＰの値（ここでは、１、２、及び３）の何れかと一致するか否かを判断する。
【００８６】
イベント発生カウンタ値メモリ１４４Ｂの記憶値Ｐが、イベント発生値メモリの記憶値ＰＰの何れの値とも一致しない場合には、ステップ４０６で否定判断され、ステップ４１８へ進み、副図柄表示部１２４Ｂにおいて、停止表示する各副図柄（第１副図柄、第２副図柄、及び第３副図柄）に対応するカウンタ値（以下、停止副図柄カウンタ値という。）として、それぞれ、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値を、停止副図柄メモリ１４４Ｎにセットする。なお、ここでは、上述の図８に示す処理ルーチンのステップ３０６の処理により、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値は、全ての値が同値ではない。
【００８７】
次のステップ４２０では、後述する図柄変動処理１を実行して、本処理ルーチンを終了する。
【００８８】
一方、イベント発生カウンタ値メモリ１４４Ｂの記憶値Ｐが、イベント発生値メモリの記憶値ＰＰの何れかの値と一致する場合には、ステップ４０６で肯定判断され、ステップ４０８へ進む。
【００８９】
ステップ４０８では、第１副図柄カウンタ値メモリ１４４Ｆの記憶値Ｚ１の値を、第２副図柄カウンタ値メモリ１４４Ｇの記憶値Ｚ２及び第３副図柄カウンタ値メモリ１４４Ｈの記憶値Ｚ３としてコピーし、各記憶値Ｚ１〜Ｚ３を同値とする。
【００９０】
次のステップ４１０では、第１副図柄カウンタ値メモリ１４４Ｆの記憶値Ｚ１（＝Ｚ２＝Ｚ３）の値が、無図柄に対応するカウント値（ここでは、３）であるか否かを判断する。
【００９１】
ステップ４１０で肯定判断の場合には上記ステップ４１８へ進み、上述の停止副図柄カウンタ値として、それぞれ、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値を、停止副図柄メモリ１４４Ｎにセットし、上記ステップ４２０へ進む。なお、上記ステップ４１８では、上記ステップ４０８の処理により、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値は全て同値であり、その値は３となっている（Ｚ１＝Ｚ２＝Ｚ３）。
【００９２】
一方、ステップ４１０で否定判断の場合にはステップ４１２へ進み、上述の停止副図柄カウンタ値として、それぞれ、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値を、停止副図柄メモリ１４４Ｎにセットする。なお、ここでは、上記ステップ４０８の処理により、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値は全て同値（Ｚ１＝Ｚ２＝Ｚ３）となっている。
【００９３】
次のステップ４１４では後述する図柄変動処理２を実行して、ステップ４１６へ進み、後述するイベント処理を実行して、本処理ルーチンを終了する。
【００９４】
次に、上記のはずれ図柄設定処理について、図１１に示す処理ルーチンを参照しながら説明する。
【００９５】
まず、ステップ５００では、上述の第１段階停止主図柄カウンタ値として、それぞれ、第１主図柄カウンタ値メモリ１４４Ｃの記憶値Ｙ１、カウンタ値第１保持メモリ１４４Ｋの記憶値Ｓ２、及びカウンタ値第２保持メモリ１４４Ｌの記憶値Ｓ３の値を、停止主図柄メモリ１４４Ｍにセットする。なお、ここでは、上述の図８に示す処理ルーチンのステップ３１０〜３１４の処理により、第１主図柄カウンタ値メモリ１４４Ｃの記憶値Ｙ１、カウンタ値第１保持メモリ１４４Ｋの記憶値Ｓ２、及びカウンタ値第２保持メモリ１４４Ｌの記憶値Ｓ３の値は、全ての値が同値ではない。
【００９６】
次のステップ５０２では、上述の第２段階停止主図柄カウンタ値として、それぞれ、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３の値を、停止主図柄メモリ１４４Ｍにセットする。なお、ここでは、上述の図８に示す処理ルーチンのステップ３０８の処理により、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３の値は、全ての値が同値ではない。
【００９７】
次のステップ５０４では、上述の図８に示す処理ルーチンのステップ３０４におけるイベント発生抽選の結果が、イベント発生条件を満たすか否かを判断する。ここでは、イベント発生カウンタ値メモリ１４４Ｂの記憶値Ｐが、予め定めたイベント発生値を記憶保持するイベント発生値メモリの記憶値ＰＰの値うち１つ（ここでは、１）と一致するか否かを判断する。
【００９８】
イベント発生カウンタ値メモリ１４４Ｂの記憶値Ｐが、イベント発生値メモリの記憶値ＰＰの値と一致しない場合には、ステップ５０４で否定判断され、ステップ５１６へ進み、上述の停止副図柄カウンタ値として、それぞれ、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値を、停止副図柄メモリ１４４Ｎにセットする。なお、ここでは、上述の図８に示す処理ルーチンのステップ３０６の処理により、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値は、全ての値が同値ではない。
【００９９】
次のステップ５１８では、上記の図柄変動処理１を実行して、本処理ルーチンを終了する。
【０１００】
一方、イベント発生カウンタ値メモリ１４４Ｂの記憶値Ｐが、イベント発生値メモリの記憶値ＰＰの値と一致する場合には、ステップ５０４で肯定判断され、ステップ５０６へ進む。
【０１０１】
ステップ５０６では、第１副図柄カウンタ値メモリ１４４Ｆの記憶値Ｚ１の値を、第２副図柄カウンタ値メモリ１４４Ｇの記憶値Ｚ２及び第３副図柄カウンタ値メモリ１４４Ｈの記憶値Ｚ３としてコピーし、各記憶値Ｚ１〜Ｚ３を同値とする。
【０１０２】
次のステップ５０８では、第１副図柄カウンタ値メモリ１４４Ｆの記憶値Ｚ１（＝Ｚ２＝Ｚ３）の値が、無図柄に対応するカウント値（ここでは、３）であるか否かを判断する。
【０１０３】
ステップ５０８で肯定判断の場合には上記ステップ５１６へ進み、上述の停止副図柄カウンタ値として、それぞれ、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値を、停止副図柄メモリ１４４Ｎにセットし、上記ステップ５１８へ進む。なお、上記ステップ５１６では、上記ステップ５０６の処理により、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値は全て同値であり、その値は３となっている（Ｚ１＝Ｚ２＝Ｚ３）。
【０１０４】
一方、ステップ５０８で否定判断の場合にはステップ５１０へ進み、上述の停止副図柄カウンタ値として、それぞれ、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値を、停止副図柄メモリ１４４Ｎにセットする。なお、ここでは、上記ステップ５０６の処理により、第１副図柄カウンタ値メモリ１４４Ｆの記憶値Ｚ１、第２副図柄カウンタ値メモリ１４４Ｇの記憶値Ｚ２、及び第３副図柄カウンタ値メモリ１４４Ｈの記憶値Ｚ３の値は全て同値（Ｚ１＝Ｚ２＝Ｚ３）となっている。
【０１０５】
次のステップ５１２では後述する図柄変動処理２を実行して、ステップ５１４へ進み、後述するイベント処理を実行して、本処理ルーチンを終了する。
【０１０６】
次に、図１２に示す処理ルーチンに沿って、図１３、図１４、及び図１５に示す表示部１２４での表示図柄の一例を参照しながら、上記の図柄変動処理１について説明する。
【０１０７】
まず、ステップ６００では、主図柄表示部１２４Ａにおいて、全主図柄（第１主図柄〜第３主図柄）の変動表示を開始する。ここでは、例えば、図１３（Ａ）（図１４（Ａ）、図１５（Ａ））に示すように、第１主図柄１０、第２主図柄１２、及び第３主図柄１４は、高速に変動表示される。
【０１０８】
次のステップ６０２では、変動表示を開始して所定時間経過（タイマ１４６によって時間計測）の後に、主図柄表示部１２４Ａにおいて第１主図柄カウンタ値メモリ１４４Ｃの記憶値Ｙ１の値に対応する図柄を第１主図柄として停止表示すると共に、略同時に、副図柄表示部１２４Ｂにおいて第１副図柄を表示する。なお、このときの第１副図柄は、上述の停止副図柄メモリ１４４Ｎにセットされた停止副図柄カウント値の第１副図柄に対応する値（すなわち、第１副図柄カウンタ値メモリ１４４Ｆの記憶値Ｚ１）に対応する図柄である。
【０１０９】
上述したステップ６０２の処理の結果、表示部１２４では、例えば、図１３（Ｂ）に示すように、第1主図柄（数字９）１０、及び第1副図柄（リンゴ）２０が表示される（また、例えば、図１４（Ｂ）、図１５（Ｂ）に示すように、第1主図柄（数字７）１０、及び第１副図柄（ゴリラ人形）２０が表示される。）。このとき、第２主図柄１２、第３主図柄１４の変動表示は継続している。
【０１１０】
次のステップ６０３では、スーパーリーチ表示条件を満たすか否かを判断する。ここでは、イベント発生カウンタ値メモリ１４４Ｂの記憶値Ｐが、予め定めてメモリ１４４に記憶保持した上記スーパーリーチ演出表示の演出表示実行値と一致するか否かを判断する。
【０１１１】
イベント発生カウンタ値メモリ１４４Ｂの記憶値Ｐがスーパーリーチ演出表示の演出表示実行値と一致する場合には、ステップ６０３で肯定判断され、後述するステップ６１４へ進む。
【０１１２】
一方、イベント発生カウンタ値メモリ１４４Ｂの記憶値Ｐがスーパーリーチ演出表示の演出表示実行値と一致しない場合には、ステップ６０３で否定判断され、次のステップ６０４へ進み、第１副図柄が表示されて所定時間経過（タイマ１４６によって時間計測）の後に、主図柄表示部１２４Ａにおいて第２主図柄カウンタ値メモリ１４４Ｄの記憶値Ｙ２の値に対応する図柄を第２主図柄として停止表示すると共に、略同時に、副図柄表示部１２４Ｂにおいて第２副図柄を表示する。なお、このときの第２副図柄は、上述の停止副図柄メモリ１４４Ｎにセットされた停止副図柄カウント値の第２副図柄に対応する値（すなわち、第２副図柄カウンタ値メモリ１４４Ｇの記憶値Ｚ２）に対応する図柄である。
【０１１３】
上述したステップ６０４の処理の結果、表示部１２４では、例えば、図１３（Ｃ）に示すように、第１主図柄（数字９）１０及び第１副図柄（リンゴ）２０が表示されると共に、第２主図柄（数字７）１２、及び第２副図柄（ゴリラ人形）２２が表示される（また、例えば、図１４（Ｃ）に示すように、第１主図柄（数字７）１０及び第１副図柄（ゴリラ人形）２０が表示されると共に、第２主図柄（数字７）１２、及び第２副図柄（ゴリラ人形）２２が表示される。）。このとき、第３主図柄１４の変動表示は継続している。
【０１１４】
次のステップ６０５では、表示部１２４で表示されている第１主図柄と第２主図柄とが同一図柄であるか否か（すなわち、主図柄の組み合わせがリーチ図柄であるか否か）を判断する。
【０１１５】
ここで、表示部１２４で表示されている主図柄の組み合わせがリーチ図柄でない場合（図１３（Ｃ）参照）には、上記ステップ６０５で否定判断され、ステップ６０６へ進み、第２副図柄が表示されて所定時間経過（タイマ１４６によって時間計測）の後に、主図柄表示部１２４Ａにおいて第３主図柄カウンタ値メモリ１４４Ｅの記憶値Ｙ３の値に対応する図柄を第３主図柄として停止表示すると共に、略同時に、副図柄表示部１２４Ｂにおいて第３副図柄を表示して、本処理ルーチンを終了する。なお、このときの第３副図柄は、上述の停止副図柄メモリ１４４Ｎにセットされた停止副図柄カウント値の第３副図柄に対応する値（すなわち、第３副図柄カウンタ値メモリ１４４Ｈの記憶値Ｚ３）に対応する図柄である。
【０１１６】
上述したステップ６０６の処理の結果、表示部１２４では、例えば、図１３（Ｄ）に示すように、第１主図柄（数字９）１０及び第１副図柄（リンゴ）２０が表示され、かつ第２主図柄（数字７）１２及び第２副図柄（ゴリラ人形）２２が表示されると共に、第３主図柄（数字２）１４、及び第３副図柄（バナナ）２４が表示される。
【０１１７】
一方、表示部１２４で表示されている主図柄の組み合わせがリーチ図柄である場合（図１４（Ｃ）参照）には、上記ステップ６０５で肯定判断され、ステップ６０８へ進み、表示部１２４において、主図柄の組み合わせがリーチ図柄であることを、遊技者に対して報知するための所定の演出表示（例えば、”リーチ”の文字を表示）をして（図１４（Ｄ）参照）、ステップ６１０へ進む。
【０１１８】
次のステップ６１０では、副図柄表示部１２４Ｂにおいて、上述の停止副図柄メモリ１４４Ｎにセットされた停止副図柄カウント値の第３副図柄に対応する値（すなわち、第３副図柄カウンタ値メモリ１４４Ｈの記憶値Ｚ３）に対応する図柄を第３副図柄として表示する。
【０１１９】
上述したステップ６１０の処理の結果、表示部１２４では、例えば、図１４（Ｅ）に示すように、第１主図柄（数字７）１０及び第１副図柄（ゴリラ人形）２０が表示され、第２主図柄（数字７）１２及び第２副図柄（ゴリラ人形）２２が表示されると共に、第３副図柄（リンゴ）２４が表示される。このとき、第３主図柄１４の変動表示は継続している。
【０１２０】
次のステップ６１２では、第３副図柄が表示されて所定時間経過（タイマ１４６によって時間計測）の後に、主図柄表示部１２４Ａにおいて第３主図柄カウンタ値メモリ１４４Ｅの記憶値Ｙ３の値に対応する図柄を第３主図柄として停止表示して、本処理ルーチンを終了する。
【０１２１】
上述したステップ６１２の処理の結果、表示部１２４では、例えば、図１４（Ｆ）に示すように、第１主図柄（数字７）１０及び第１副図柄（ゴリラ人形）２０が表示され、かつ第２主図柄（数字７）１２及び第２副図柄（ゴリラ人形）２２が表示されると共に、第３主図柄（数字５）１４、及び第３副図柄（リンゴ）２４が表示される。
【０１２２】
一方、上述のスーパーリーチ表示条件を満たす場合には、上記ステップ６０３で肯定判断され、上記ステップ６１４へ進み、停止主図柄メモリ１４４Ｍにセットされている、第１主図柄カウンタ値メモリ１４４Ｃの記憶値Ｙ１の値と、第２主図柄カウンタ値メモリ１４４Ｄの記憶値Ｙ２の値とが同値であるか否かを判断する。すなわち、停止主図柄メモリ１４４Ｍにセットされた各記憶値による主図柄の組み合わせがリーチ図柄であるか否かを判断する。
【０１２３】
第１主図柄カウンタ値メモリ１４４Ｃの記憶値Ｙ１の値と、第２主図柄カウンタ値メモリ１４４Ｄの記憶値Ｙ２の値とが同値である場合（すなわち、リーチ図柄である場合）には、ステップ６１４で肯定判断され、後述するステップ６１８へ進む。
【０１２４】
一方、第１主図柄カウンタ値メモリ１４４Ｃの記憶値Ｙ１の値と、第２主図柄カウンタ値メモリ１４４Ｄの記憶値Ｙ２の値とが異なる場合（すなわち、リーチ図柄でない場合）には、ステップ６１４で否定判断されて、ステップ６１６へ進み、第１主図柄カウンタ値メモリ１４４Ｃの記憶値Ｙ１の値を、第２主図柄カウンタ値メモリ１４４Ｄの記憶値Ｙ２に代入して停止主図柄メモリ１４４Ｍに再セットし、上記ステップ６１８へ進む。
【０１２５】
上記ステップ６１８では、スーパーリーチ予告演出表示条件を満たすか否かを判断する。ここでは、イベント発生カウンタ値メモリ１４４Ｂの記憶値Ｐが、予め定めてメモリ１４４に記憶保持した上記スーパーリーチ予告演出表示の演出表示実行値と一致するか否かを判断する。
【０１２６】
イベント発生カウンタ値メモリ１４４Ｂの記憶値Ｐがスーパーリーチ予告演出表示の演出表示実行値と一致する場合には、ステップ６１８で肯定判断され、次のステップ６２０へ進む。
【０１２７】
上記ステップ６２０では、第１副図柄が表示されて所定時間経過（タイマ１４６によって時間計測）の後に、主図柄表示部１２４Ａにおいて、所定の取得方法で得た第２主図柄カウンタ値メモリ１４４Ｄの記憶値Ｙ２以外の値（例えば、記憶値Ｙ２の値に１加（減）算した値や、第２主図柄カウンタ１４２Ｄのカウンタ値のうち記憶値Ｙ２の値以外のカウンタ値からランダムに取得した値等）に対応する図柄を第２主図柄として停止表示して、次のステップ６２２へ進み、第２主図柄が表示されて所定時間経過（タイマ１４６によって時間計測）の後に、副図柄表示部１２４Ｂにおいて、停止副図柄メモリ１４４Ｎにセットされた停止副図柄カウント値の第２副図柄に対応する値（すなわち、第２副図柄カウンタ値メモリ１４４Ｇの記憶値Ｚ２）に対応する図柄を第２副図柄として表示する（図１５（Ｃ）参照）。
【０１２８】
次のステップ６２４では、第２副図柄が表示されて所定時間経過（タイマ１４６によって時間計測）の後に、主図柄表示部１２４Ａにおいて、上記ステップ６２０で停止表示された第２主図柄を再び変動表示させ（図１５（Ｄ）参照）、第２主図柄カウンタ値メモリ１４４Ｄの記憶値Ｙ２の値に対応する図柄を第２主図柄として再表示して（図１５（Ｅ）参照）、後述するステップ６２６へ進む。
【０１２９】
すなわち、上記のステップ６２０〜６２４の処理による表示部１２４での図柄表示により、上述のスーパーリーチ予告演出表示が実現されることになる。
【０１３０】
一方、イベント発生カウンタ値メモリ１４４Ｂの記憶値Ｐがスーパーリーチ予告演出表示の演出表示実行値と一致しない場合には、ステップ６１８で否定判断され、次のステップ６３６へ進む。
【０１３１】
上記ステップ６３６では、第１副図柄が表示されて所定時間経過（タイマ１４６によって時間計測）の後に、主図柄表示部１２４Ａにおいて、第２主図柄カウンタ値メモリ１４４Ｄの記憶値Ｙ２の値に対応する図柄を第２主図柄として停止表示して、次のステップ６３８へ進み、第２主図柄が表示されて所定時間経過（タイマ１４６によって時間計測）の後に、副図柄表示部１２４Ｂにおいて、停止副図柄メモリ１４４Ｎにセットされた停止副図柄カウント値の第２副図柄に対応する値（すなわち、第２副図柄カウンタ値メモリ１４４Ｇの記憶値Ｚ２）に対応する図柄を第２副図柄として表示して、上記ステップ６２６へ進む。
【０１３２】
上記ステップ６２６では、表示部１２４において、主図柄の組み合わせがリーチ図柄であることを、遊技者に対して報知するための所定の演出表示（例えば、”リーチ”の文字を表示）をして（図１５（Ｆ）参照）、ステップ６２８へ進み、副図柄表示部１２４Ｂにおいて、停止副図柄メモリ１４４Ｎにセットされた停止副図柄カウント値の第３副図柄に対応する値（すなわち、第３副図柄カウンタ値メモリ１４４Ｈの記憶値Ｚ３）に対応する図柄を第３副図柄として表示して（図１５（Ｇ）参照）、次のステップ６３０へ進む。
【０１３３】
上記ステップ６３０では、停止主図柄メモリ１４４Ｍにセットされている、第３主図柄カウンタ値メモリ１４４Ｅの記憶値Ｙ３の値と、第２主図柄カウンタ値メモリ１４４Ｄの記憶値Ｙ２の値とが同値であるか否かを判断する。すなわち、停止主図柄メモリ１４４Ｍにセットされた各記憶値による主図柄の組み合わせが全て同一図柄（当たり図柄）であるか否かを判断する。
【０１３４】
第３主図柄カウンタ値メモリ１４４Ｅの記憶値Ｙ３の値と、第２主図柄カウンタ値メモリ１４４Ｄの記憶値Ｙ２の値とが同値である場合（すなわち、当たり図柄である場合）には、ステップ６３０で肯定判断され、ステップ６３２へ進み、第３副図柄が表示されて所定時間経過（タイマ１４６によって時間計測）の後に、主図柄表示部１２４Ａにおいて、所定の取得方法で得た第３主図柄カウンタ値メモリ１４４Ｅの記憶値Ｙ３以外の値（例えば、記憶値Ｙ３の値に１加（減）算した値や、第３主図柄カウンタ１４２Ｅのカウンタ値のうち記憶値Ｙ３の値以外のカウンタ値からランダムに取得した値等）に対応する図柄を第３主図柄として停止表示して、後述するステップ６３４へ進む。
【０１３５】
一方、第３主図柄カウンタ値メモリ１４４Ｅの記憶値Ｙ３の値と、第２主図柄カウンタ値メモリ１４４Ｄの記憶値Ｙ２の値とが異なる場合（すなわち、当たり図柄でない場合）には、ステップ６３０で否定判断されて、ステップ６４０へ進み、第３図柄が表示されて所定時間経過（タイマ１４６によって時間計測）の後に、主図柄表示部１２４Ａにおいて、第３主図柄カウンタ値メモリ１４４Ｅの記憶値Ｙ３の値に対応する図柄を第３主図柄として停止表示して、次のステップ６３４へ進む。
【０１３６】
上記のステップ６３０、６３２、６４０の処理によって、表示部１２４では、例えば、図１５（Ｈ）に示すように、第１主図柄（数字７）１０及び第１副図柄（ゴリラ人形）２０が表示され、かつ第２主図柄（数字７）１２及び第２副図柄（ゴリラ人形）２２が表示されると共に、第３主図柄（数字５）１４、及び第３副図柄（リンゴ）２４が表示される（はずれ図柄）。
【０１３７】
表示部１２４において主図柄の組み合わせがはずれ図柄として表示された後、上記ステップ６３４では上述のスーパーリーチ演出表示を実行される。
【０１３８】
次に、図１６に示す処理ルーチンに沿って、図１７、図１８、及び図１９に示す表示部１２４での表示図柄の一例を参照しながら、上記の図柄変動処理２について説明する。
【０１３９】
まず、ステップ７００では、主図柄表示部１２４Ａにおいて、全主図柄（第１主図柄〜第３主図柄）の変動表示を開始する。ここでは、例えば、図１７（Ａ）（図１８（Ａ）、図１９（Ａ））に示すように、第１主図柄１０、第２主図柄１２、及び第３主図柄１４は、高速に変動表示される。
【０１４０】
次のステップ７０２では、変動表示を開始して所定時間経過（タイマ１４６によって時間計測）の後に、主図柄表示部１２４Ａにおいて第１主図柄カウンタ値メモリ１４４Ｃの記憶値Ｙ１の値に対応する図柄を第１主図柄として停止表示すると共に、略同時に、副図柄表示部１２４Ｂにおいて第１副図柄を表示する。なお、このときの第１副図柄は、上述の停止副図柄メモリ１４４Ｎにセットされた停止副図柄カウント値の第１副図柄に対応する値（すなわち、第１副図柄カウンタ値メモリ１４４Ｆの記憶値Ｚ１）に対応する図柄である。
【０１４１】
上述したステップ７０２の処理の結果、表示部１２４では、例えば、図１７（Ｂ）に示すように、第1主図柄（数字７）１０、及び第1副図柄（ゴリラ人形）２０が表示される（また、例えば、図１８（Ｂ）、図１９（Ｂ）に示すように、第1主図柄（数字７）１０、及び第１副図柄（ゴリラ人形）２０が表示される。）。このとき、第２主図柄１２、第３主図柄１４の変動表示は継続している。
【０１４２】
次のステップ７０３では、スーパーリーチ表示条件を満たすか否かを判断する。ここでは、イベント発生カウンタ値メモリ１４４Ｂの記憶値Ｐが、予め定めてメモリ１４４に記憶保持した上記スーパーリーチ演出表示の演出表示実行値と一致するか否かを判断する。
【０１４３】
イベント発生カウンタ値メモリ１４４Ｂの記憶値Ｐがスーパーリーチ演出表示の演出表示実行値と一致する場合には、ステップ７０３で肯定判断され、後述するステップ７１４へ進む。
【０１４４】
一方、イベント発生カウンタ値メモリ１４４Ｂの記憶値Ｐがスーパーリーチ演出表示の演出表示実行値と一致しない場合には、ステップ７０３で否定判断され、次のステップ７０４へ進み、第１副図柄が表示されて所定時間経過（タイマ１４６によって時間計測）の後に、主図柄表示部１２４Ａにおいてカウンタ値第1保持メモリ１４４Ｋの記憶値Ｓ２の値に対応する図柄を第２主図柄として停止表示すると共に、略同時に、副図柄表示部１２４Ｂにおいて第２副図柄を表示する。なお、このときの第２副図柄は、上述の停止副図柄メモリ１４４Ｎにセットされた停止副図柄カウント値の第２副図柄に対応する値（すなわち、第２副図柄カウンタ値メモリ１４４Ｇの記憶値Ｚ２）に対応する図柄である。
【０１４５】
上述したステップ７０４の処理の結果、表示部１２４では、例えば、図１７（Ｃ）に示すように、第１主図柄（数字７）１０及び第１副図柄（ゴリラ人形）２０が表示されると共に、第２主図柄（数字３）１２、及び第２副図柄（ゴリラ人形）２２が表示される（また、例えば、図１８（Ｃ）に示すように、第１主図柄（数字７）１０及び第１副図柄（ゴリラ人形）２０が表示されると共に、第２主図柄（数字７）１２、及び第２副図柄（ゴリラ人形）２２が表示される。）。このとき、第３主図柄１４の変動表示は継続している。
【０１４６】
次のステップ７０５では、表示部１２４で表示されている第１主図柄と第２主図柄とが同一図柄であるか否か（すなわち、主図柄の組み合わせがリーチ図柄であるか否か）を判断する。
【０１４７】
ここで、表示部１２４で表示されている主図柄の組み合わせがリーチ図柄でない場合（図１７（Ｃ）参照）には、上記ステップ７０５で否定判断され、ステップ７０６へ進み、第２副図柄が表示されて所定時間経過（タイマ１４６によって時間計測）の後に、主図柄表示部１２４Ａにおいてカウンタ値第２保持メモリ１４４Ｌの記憶値Ｓ３の値に対応する図柄を第３主図柄として停止表示すると共に、略同時に、副図柄表示部１２４Ｂにおいて第３副図柄を表示して、本処理ルーチンを終了する。なお、このときの第３副図柄は、上述の停止副図柄メモリ１４４Ｎにセットされた停止副図柄カウント値の第３副図柄に対応する値（すなわち、第３副図柄カウンタ値メモリ１４４Ｈの記憶値Ｚ３）に対応する図柄である。
【０１４８】
上述したステップ７０６の処理の結果、表示部１２４では、例えば、図１７（Ｄ）に示すように、第１主図柄（数字７）１０及び第１副図柄（ゴリラ人形）２０が表示され、かつ第２主図柄（数字３）１２及び第２副図柄（ゴリラ人形）２２が表示されると共に、第３主図柄（数字５）１４、及び第３副図柄（ゴリラ人形）２４が表示される。さらに、このように副図柄が全て同一の図柄（ゴリラ人形）で揃った場合には、後述するイベント処理が続いて実行される。
【０１４９】
一方、表示部１２４で表示されている主図柄の組み合わせがリーチ図柄である場合（図１８（Ｃ）参照）には、上記ステップ７０５で肯定判断され、ステップ７０８へ進み、表示部１２４において、主図柄の組み合わせがリーチ図柄であることを、遊技者に対して報知するための所定の演出表示（例えば、”リーチ”の文字を表示）をして（図１８（Ｄ）参照）、ステップ７１０へ進む。
【０１５０】
次のステップ７１０では、副図柄表示部１２４Ｂにおいて、上述の停止副図柄メモリ１４４Ｎにセットされた停止副図柄カウント値の第３副図柄に対応する値（すなわち、第３副図柄カウンタ値メモリ１４４Ｈの記憶値Ｚ３）に対応する図柄を第３副図柄として表示する。
【０１５１】
上述したステップ７１０の処理の結果、表示部１２４では、例えば、図１８（Ｅ）に示すように、第１主図柄（数字７）１０及び第１副図柄（ゴリラ人形）２０が表示され、第２主図柄（数字７）１２及び第２副図柄（ゴリラ人形）２２が表示されると共に、第３副図柄（ゴリラ人形）２４が表示される。このとき、第３主図柄１４の変動表示は継続している。
【０１５２】
次のステップ７１２では、第３副図柄が表示されて所定時間経過（タイマ１４６によって時間計測）の後に、主図柄表示部１２４Ａにおいてカウンタ値第２保持メモリ１４４Ｌの記憶値Ｓ３の値に対応する図柄を第３主図柄として停止表示して、本処理ルーチンを終了する。
【０１５３】
上述したステップ７１２の処理の結果、表示部１２４では、例えば、図１８（Ｆ）に示すように、第１主図柄（数字７）１０及び第１副図柄（ゴリラ人形）２０が表示され、かつ第２主図柄（数字７）１２及び第２副図柄（ゴリラ人形）２２が表示されると共に、第３主図柄（数字７）１４、及び第３副図柄（ゴリラ人形）２４が表示される。この場合、主図柄の組み合わせは全てゴリラ人形で揃った当たり図柄であるので、以降、上述の大当たり処理が実行されることになる。
【０１５４】
一方、上述のスーパーリーチ表示条件を満たす場合には、上記ステップ７０３で肯定判断され、上記ステップ７１４へ進み、停止主図柄メモリ１４４Ｍにセットされている、第１主図柄カウンタ値メモリ１４４Ｃの記憶値Ｙ１の値と、カウンタ値第1保持メモリ１４４Ｋの記憶値Ｓ２の値とが同値であるか否かを判断する。すなわち、停止主図柄メモリ１４４Ｍにセットされた各記憶値による主図柄の組み合わせがリーチ図柄であるか否かを判断する。
【０１５５】
第１主図柄カウンタ値メモリ１４４Ｃの記憶値Ｙ１の値と、カウンタ値第1保持メモリ１４４Ｋの記憶値Ｓ２の値とが同値である場合（すなわち、リーチ図柄である場合）には、ステップ７１４で肯定判断され、後述するステップ７１８へ進む。
【０１５６】
一方、第１主図柄カウンタ値メモリ１４４Ｃの記憶値Ｙ１の値と、カウンタ値第1保持メモリ１４４Ｋの記憶値Ｓ２の値とが異なる場合（すなわち、リーチ図柄でない場合）には、ステップ７１４で否定判断されて、ステップ７１６へ進み、第１主図柄カウンタ値メモリ１４４Ｃの記憶値Ｙ１の値を、カウンタ値第1保持メモリ１４４Ｋの記憶値Ｓ２に代入して停止主図柄メモリ１４４Ｍに再セットし、上記ステップ７１８へ進む。
【０１５７】
上記ステップ７１８では、スーパーリーチ予告演出表示条件を満たすか否かを判断する。ここでは、イベント発生カウンタ値メモリ１４４Ｂの記憶値Ｐが、予め定めてメモリ１４４に記憶保持した上記スーパーリーチ予告演出表示の演出表示実行値と一致するか否かを判断する。
【０１５８】
イベント発生カウンタ値メモリ１４４Ｂの記憶値Ｐがスーパーリーチ予告演出表示の演出表示実行値と一致する場合には、ステップ７１８で肯定判断され、次のステップ７２０へ進む。
【０１５９】
上記ステップ７２０では、第１副図柄が表示されて所定時間経過（タイマ１４６によって時間計測）の後に、主図柄表示部１２４Ａにおいて、所定の取得方法で得たカウンタ値第1保持メモリ１４４Ｋの記憶値Ｓ２以外の値（例えば、記憶値Ｓ２の値に１加（減）算した値や、第２主図柄カウンタ１４２Ｄのカウンタ値のうち記憶値Ｓ２の値以外のカウンタ値からランダムに取得した値等）に対応する図柄を第２主図柄として停止表示して、次のステップ７２２へ進み、第２主図柄が表示されて所定時間経過（タイマ１４６によって時間計測）の後に、副図柄表示部１２４Ｂにおいて、停止副図柄メモリ１４４Ｎにセットされた停止副図柄カウント値の第２副図柄に対応する値（すなわち、第２副図柄カウンタ値メモリ１４４Ｇの記憶値Ｚ２）に対応する図柄を第２副図柄として表示する（図１９（Ｃ）参照）。
【０１６０】
次のステップ７２４では、第２副図柄が表示されて所定時間経過（タイマ１４６によって時間計測）の後に、主図柄表示部１２４Ａにおいて、上記ステップ７２０で停止表示された第２主図柄を再び変動表示させ（図１９（Ｄ）参照）、カウンタ値第1保持メモリ１４４Ｋの記憶値Ｓ２の値に対応する図柄を第２主図柄として再表示して（図１９（Ｅ）参照）、後述するステップ７２６へ進む。
【０１６１】
すなわち、上記のステップ７２０〜７２４の処理による表示部１２４での図柄表示により、上述のスーパーリーチ予告演出表示が実現されることになる。
【０１６２】
一方、イベント発生カウンタ値メモリ１４４Ｂの記憶値Ｐがスーパーリーチ予告演出表示の演出表示実行値と一致しない場合には、ステップ７１８で否定判断され、次のステップ７３６へ進む。
【０１６３】
上記ステップ７３６では、第１副図柄が表示されて所定時間経過（タイマ１４６によって時間計測）の後に、主図柄表示部１２４Ａにおいて、カウンタ値第1保持メモリ１４４Ｋの記憶値Ｓ２の値に対応する図柄を第２主図柄として停止表示して、次のステップ７３８へ進み、第２主図柄が表示されて所定時間経過（タイマ１４６によって時間計測）の後に、副図柄表示部１２４Ｂにおいて、停止副図柄メモリ１４４Ｎにセットされた停止副図柄カウント値の第２副図柄に対応する値（すなわち、第２副図柄カウンタ値メモリ１４４Ｇの記憶値Ｚ２）に対応する図柄を第２副図柄として表示して、上記ステップ７２６へ進む。
【０１６４】
上記ステップ７２６では、表示部１２４において、主図柄の組み合わせがリーチ図柄であることを、遊技者に対して報知するための所定の演出表示（例えば、”リーチ”の文字を表示）をして（図１９（Ｆ）参照）、ステップ７２８へ進み、副図柄表示部１２４Ｂにおいて、停止副図柄メモリ１４４Ｎにセットされた停止副図柄カウント値の第３副図柄に対応する値（すなわち、第３副図柄カウンタ値メモリ１４４Ｈの記憶値Ｚ３）に対応する図柄を第３副図柄として表示して（図１９（Ｇ）参照）、次のステップ７３０へ進む。
【０１６５】
上記ステップ７３０では、停止主図柄メモリ１４４Ｍにセットされている、カウンタ値第２保持メモリ１４４Ｌの記憶値Ｓ３の値と、カウンタ値第1保持メモリ１４４Ｋの記憶値Ｓ２の値とが同値であるか否かを判断する。すなわち、停止主図柄メモリ１４４Ｍにセットされた各記憶値による主図柄の組み合わせが全て同一図柄（当たり図柄）であるか否かを判断する。
【０１６６】
カウンタ値第２保持メモリ１４４Ｌの記憶値Ｓ３の値と、カウンタ値第1保持メモリ１４４Ｋの記憶値Ｓ２の値とが同値である場合（すなわち、当たり図柄である場合）には、ステップ７３０で肯定判断され、ステップ７３２へ進み、第３副図柄が表示されて所定時間経過（タイマ１４６によって時間計測）の後に、主図柄表示部１２４Ａにおいて、所定の取得方法で得たカウンタ値第２保持メモリ１４４Ｌの記憶値Ｓ３以外の値（例えば、記憶値Ｓ３の値に１加（減）算した値や、第３主図柄カウンタ１４２Ｅのカウンタ値のうち記憶値Ｓ３の値以外のカウンタ値からランダムに取得した値等）に対応する図柄を第３主図柄として停止表示して、後述するステップ７３４へ進む。
【０１６７】
一方、カウンタ値第２保持メモリ１４４Ｌの記憶値Ｓ３の値と、カウンタ値第1保持メモリ１４４Ｋの記憶値Ｓ２の値とが異なる場合（すなわち、当たり図柄でない場合）には、ステップ７３０で否定判断されて、ステップ７４０へ進み、第３図柄が表示されて所定時間経過（タイマ１４６によって時間計測）の後に、主図柄表示部１２４Ａにおいて、カウンタ値第２保持メモリ１４４Ｌの記憶値Ｓ３の値に対応する図柄を第３主図柄として停止表示して、次のステップ７３４へ進む。
【０１６８】
上記のステップ７３０、７３２、７４０の処理によって、表示部１２４では、例えば、図１９（Ｈ）に示すように、第１主図柄（数字７）１０及び第１副図柄（ゴリラ人形）２０が表示され、かつ第２主図柄（数字７）１２及び第２副図柄（ゴリラ人形）２２が表示されると共に、第３主図柄（数字５）１４、及び第３副図柄（ゴリラ人形）２４が表示される（はずれ図柄）。
【０１６９】
表示部１２４において主図柄の組み合わせがはずれ図柄として表示された後、上記ステップ７３４では上述のスーパーリーチ演出表示を実行される。
【０１７０】
なお、このように副図柄が全て同一の図柄（ゴリラ人形）で揃った場合には、スーパーリーチ演出表示の後にはずれとなった場合に、後述するイベント処理が続いて実行されることになる。
【０１７１】
次に、図２０に示す処理ルーチンに沿って、図２１に示す表示部１２４での表示図柄の一例を参照しながら、上記のイベント処理について説明する。
【０１７２】
まず、ステップ８００では、表示部１２４での副図柄が全て同一の図柄（ゴリラ人形）で揃った表示状態（図２１（Ａ）参照）において、イベントが発生したことを遊技者に報知するために、例えば、スピーカ１６２により、ファンファーレ等の所定の効果音を出力したり、遊技盤状態表示灯１６４の点灯状態を変化させる等のイベント発生演出動作を行う。
【０１７３】
次のステップ８０２では、主図柄表示部１２４Ａにおいて、全主図柄（第１主図柄〜第３主図柄）の変動表示を開始する（図２１（Ｂ）参照）。
【０１７４】
次のステップ８０４では、全主図柄の変動表示を開始して所定時間経過（タイマ１４６によって時間計測）の後に、主図柄表示部１２４Ａにおいて、上述の停止主図柄メモリ１４４Ｍにセットされた第２段階停止主図柄カウンタ値の各主図柄に対応する値（すなわち、第１主図柄カウンタ値メモリ１４４Ｃの記憶値Ｙ１、第２主図柄カウンタ値メモリ１４４Ｄの記憶値Ｙ２、及び第３主図柄カウンタ値メモリ１４４Ｅの記憶値Ｙ３）を読み込み、それらの各値に対応する図柄をそれぞれ第１主図柄、第２主図柄、及び第３主図柄として同時に表示して、本処理ルーチンを終了する。ここでは、はずれの場合には、例えば、図２１（Ｃ）に示すように、主図柄が全て同じ図柄で揃っていない状態で表示され、当たりの場合には、例えば、図２１（Ｄ）に示すように、主図柄は全て同じ図柄（数字７）で揃った状態で表示される。これにより、副図柄が揃うことを条件に、主図柄の再変動表示を行うことで、遊技者に対して、見かけ上の再抽選の演出効果を与えることができ、当たりへの期待感を高めることができる。
【０１７５】
以上説明したように、本実施の形態に係るパチンコ機によれば、通常の当たり信頼度を有するノーマルリーチ演出表示に加え、ノーマルリーチよりも高い当たり信頼度を有するスーパーリーチ演出表示を実行可能であると共に、このスーパーリーチ演出表示の実行を予告報知するスーパーリーチ予告演出表示を実行することで、遊技者に有利な遊技状態への移行を遊技者に予感させる演出を行うことができ、遊技の趣向性を向上させることができる。
【０１７６】
なお、本実施の形態では、イベント発生時の主図柄（第１〜第３主図柄）の再変動が１回のみである例を説明したが、これに限定されることなく、再変動表示気後にはずれである場合にさらに所定回数再変動表示を繰り返すようにしてもよい。また、この場合、再変動表示の繰り返し回数は、揃った副図柄の各種類（例えば、図２２において、（Ａ）に示すバナナ、（Ｂ）に示すリンゴ、及び（Ｃ）に示すゴリラ人形の３種類）によって変化させるようにしてもよい。
【０１７７】
また、イベント発生の条件となる副図柄の各全揃図柄パターン（ここでは、バナナ、リンゴ、ゴリラ人形の３種類）において、当たりの確定度に差を持たせる（例えば、バナナ：３０％、リンゴ：５０％、ゴリラ人形：７０％、（全体平均５０％））ようにしてもよく、このことにより、さらに遊技の演出効果を高めることができる。
【０１７８】
また、本実施の形態においては、各主図柄（第１〜第３主図柄）を停止表示して所定時間経過後（直後）に、対応する各副図柄（第１〜第３副図柄）を順次停止表示させる例を説明したが、これに限定されることなく、副図柄の停止表示タイミングは、全ての主図柄が停止表示された後に一度に全ての副図柄を停止表示させてもよい。また、副図柄を所定回数再変動させた後、停止表示するようにしてもよい。
【０１７９】
なお、本実施の形態では、本発明をパチンコ機に適用した例について説明したが、同様に、カウンタを用いて当たり抽選を行い、その抽選結果を報知するパチスロ機、パチロット機等の他の遊技機に適用することも可能である。
【０１８０】
【発明の効果】
以上説明したように本発明によれば、特別当たり予告演出を実行する場合に、所定条件の成立に基づいて、図柄の組み合わせを確定表示する以前に、少なくとも前記図柄の組み合わせを構成する個々の図柄の少なくとも１つを再変動表示させて、リーチ図柄の組み合わせで表示させた後で行うようにしたので、図柄変動の変化が遊技者にわかり易く、当たりへの期待感をより強く抱かせることができ、遊技の趣向性を向上し、遊技者に良好な遊技性を提供できる遊技機を得ることができるという優れた効果を有する。
【図面の簡単な説明】
【図１】本発明の実施の形態に係るパチンコ機の概略正面図である。
【図２】本発明の実施の形態に係るパチンコ機の制御系を示すブロック図である。
【図３】（Ａ）は、本発明の実施の形態に係る主図柄表示部で表示する全主図柄例を示す図であり、（Ｂ）は、本発明の実施の形態に係る副図柄表示部で表示する全副図柄例を示す図である。
【図４】（Ａ）は、主図柄における当たりの組み合わせ例を示す図であり、（Ｂ）は、副図柄における当たりの組み合わせ例を示す図である。
【図５】（Ａ）は、本発明の実施の形態に係るカウンタの概略構成を示す図であり、（Ｂ）は、本発明の実施の形態に係るメモリの概略構成を示す図である。
【図６】（Ａ）は、本発明の実施の形態に係る大当たりカウンタの作動を説明するための図であり、（Ｂ）は、本発明の実施の形態に係るイベント発生カウンタの作動を説明するための図である。
【図７】（Ａ）は、本発明の実施の形態に係る第１主図柄〜第３主図柄カウンタの作動を説明するための図であり、（Ｂ）は、本発明の実施の形態に係る第１副図柄〜第３副図柄カウンタの作動を説明するための図である。
【図８】本発明の実施の形態に係る図柄表示制御処理の流れを示すフローチャートである。
【図９】（Ａ）は、本発明の実施の形態に係る停止副図柄抽選処理の流れを示すフローチャートであり、（Ｂ）は、本発明の実施の形態に係る停止主図柄抽選処理の流れを示すフローチャートである。
【図１０】本発明の実施の形態に係る当たり図柄設定処理の流れを示すフローチャートである。
【図１１】本発明の実施の形態に係るはずれ図柄設定処理の流れを示すフローチャートである。
【図１２】本発明の実施の形態に係る図柄変動処理１の流れを示すフローチャートである。
【図１３】（Ａ）〜（Ｄ）は、本発明の実施の形態に係る図柄変動処理１における図柄表示の一例を示す図である。
【図１４】（Ａ）〜（Ｆ）は、本発明の実施の形態に係る図柄変動処理１において、主図柄の組み合わせがリーチ図柄である場合の図柄表示の一例を示す図である。
【図１５】（Ａ）〜（Ｈ）は、本発明の実施の形態に係る図柄変動処理１において、スーパーリーチ予告演出表示の一例を示す図である。
【図１６】本発明の実施の形態に係る図柄変動処理２の流れを示すフローチャートである。
【図１７】（Ａ）〜（Ｄ）は、本発明の実施の形態に係る図柄変動処理２における図柄表示の一例を示す図である。
【図１８】（Ａ）〜（Ｆ）は、本発明の実施の形態に係る図柄変動処理２において、主図柄の組み合わせがリーチ図柄である場合の図柄表示の一例を示す図である。
【図１９】（Ａ）〜（Ｈ）は、本発明の実施の形態に係る図柄変動処理２において、スーパーリーチ予告演出表示の一例を示す図である。
【図２０】本発明の実施の形態に係るイベント処理の流れを示すフローチャートである。
【図２１】（Ａ）〜（Ｄ）は、本発明の実施の形態に係るイベント処理における図柄表示の一例を示す図である。
【図２２】（Ａ）〜（Ｃ）は、イベント発生となる副図柄の組み合わせ例を示す図である。
【符号の説明】
１１０    パチンコ機（遊技機）
１２２    特別図柄変動表示装置
１２４    表示部
１２４Ａ  主図柄表示部
１４２Ｂ  副図柄表示部
１２６    特別図柄始動入賞口
１５０    主制御基板
１４２    カウンタ
１４４    メモリ
１４６    タイマ
１６０    表示制御基板
【図１】
0004689878.tif 000002
【図２】
0004689878.tif 000003
【図３】
0004689878.tif 000004
【図４】
0004689878.tif 000005
【図５】
0004689878.tif 000006
【図６】
0004689878.tif 000007
【図７】
0004689878.tif 000008
【図８】
0004689878.tif 000009
【図９】
0004689878.tif 000010
【図１０】
0004689878.tif 000011
【図１１】
0004689878.tif 000012
【図１２】
0004689878.tif 000013
【図１３】
0004689878.tif 000014
【図１４】
0004689878.tif 000015
【図１５】
0004689878.tif 000016
【図１６】
0004689878.tif 000017
【図１７】
0004689878.tif 000018
【図１８】
0004689878.tif 000019
【図１９】
0004689878.tif 000020
【図２０】
0004689878.tif 000021
【図２１】
0004689878.tif 000022
【図２２】
0004689878.tif 000023